(57)【要約】【課題】ケース部材との接触による削れ等を防止するとともに、簡易な構成でモジュール部材をケース部材の中に位置決め固定することのできる中枠部材及びケースユニットを提供する。【解決手段】本体ケース１とモジュール部材４との間に配置され、モジュール部材４を本体ケース１内に位置決めするとともに固定する中枠部材５が、その外径が本体ケース１の内周の径よりも小さくなるように形成されているとともに、中枠部材５の側壁部５４の少なくとも一部が、モジュール部材４を開口部の側から圧入した際にモジュール部材４により押し拡げられることにより外側に拡開して外側の面で本体ケース１の内周面に密着する拡開部となっている。【選択図】図６
2011112619.tif 000002
【特許請求の範囲】
【請求項１】
内部に部品を保持するモジュール部材と、
開口部を備え、前記モジュール部材を収容するケース部材と、
このケース部材の内周面に沿う側壁部を有し、前記ケース部材と前記モジュール部材との間に介在配置されて、前記モジュール部材を前記ケース部材内に位置決めするとともに固定する中枠部材と、を備え、
前記中枠部材は、その外径が前記ケース部材の内周の径よりも小さく形成されているとともに、前記側壁部の少なくとも一部が、前記モジュール部材を前記開口部の側から圧入した際に前記モジュール部材により押し拡げられることにより外側に拡開して外側の面で前記ケース部材の内周面に密着する拡開部となっていることを特徴とするケースユニット。
【請求項２】
前記側壁部は、前記ケース部材の厚み方向に切り欠かれた複数の切り欠き部を有し、この切り欠き部に挟まれた領域の全部又は一部が前記拡開部となることを特徴とする請求項１に記載のケースユニット。
【請求項３】
前記拡開部の内側の面には、前記モジュール部材を前記中枠部材内に圧入した際に前記モジュール部材の外側面に当接して前記拡開部を押し拡げることにより外側に拡開させるための中枠側凸部が設けられていることを特徴とする請求項１又は請求項２に記載のケースユニット。
【請求項４】
前記モジュール部材の外周面には、前記モジュール部材を前記中枠部材内に圧入した際に前記中枠部材の前記側壁部の内側面に当接して前記拡開部を押し拡げることにより外側に拡開させるためのモジュール側凸部が設けられていることを特徴とする請求項１から請求項３のいずれか一項に記載のケースユニット。
【請求項５】
前記ケース部材の前記開口部には、この開口部を被覆する被覆部材を螺合固定するためのねじ切り部が設けられていることを特徴とする請求項１から請求項４のいずれか一項に記載のケースユニット。
【請求項６】
前記側壁部の外側面であって前記中枠部材を前記ケース部材内に収納した際に奥側となる側の角部に、面取り加工が施されていることを特徴とする請求項１から請求項５のいずれか一項に記載のケースユニット。
【請求項７】
内部に部品を保持するモジュール部材とこのモジュール部材を収容するケース部材との間に介在配置されて、前記モジュール部材を前記ケース部材の開口部の側から圧入することにより前記モジュール部材を前記ケース部材内に位置決めするとともに固定する中枠部材であって、
その外径が前記ケース部材の内周の径よりも小さく形成されているとともに、前記ケース部材内に収納された際に前記ケース部材の内周面に沿う側壁部を有し、
前記側壁部には、前記ケース部材の厚み方向に切り欠かれた複数の切り欠き部が形成され、
前記側壁部のうち前記切り欠き部に挟まれた領域の全部又は一部は、前記モジュール部材を前記開口部の側から圧入した際に前記モジュール部材により押し拡げられることにより外側に拡開して外側の面で前記ケース部材の内周面に密着する拡開部となっており、
この拡開部の内側の面には、前記モジュール部材を前記開口部の側から圧入した際に前記モジュール部材の外側面に当接して前記拡開部を押し拡げるための中枠側凸部が設けられていることを特徴とする中枠部材。
【発明の詳細な説明】
【技術分野】
【０００１】
本発明は、中枠部材及びケースユニットに関するものである。
【背景技術】
【０００２】
従来、腕時計等の電子機器に用いられるケースユニットにおいて、内部に部品を保持するモジュール部材を外枠であるケース部材内に組み込む際には、ケース部材内でのモジュール部材の移動やがたつき等を防ぐため、モジュール部材とケース部材との間に中枠部材を配置し、モジュール部材を中枠部材に保持させてケース部材内の所定位置に位置決めし、固定することが行われている。
【０００３】
例えば、特許文献１には、時計モジュールとこの時計モジュール（モジュール部材）を収納する本体ケース（ケース部材）とを備える時計装置において、時計モジュールを本体ケース内に位置決めして押える押え部材（中枠部材）を配置する構成が開示されている。
【０００４】
そして、従来は、中枠部材がケース部材に対してがたつき等を生じることなく固定されるように、中枠部材の外形をケース部材の内周の径とほぼ同じとなるように形成したり、中枠部材の外側面に凸部を設けてケース部材との間に隙間が生じないように構成し、中枠部材をケース部材に圧入する構成等が採用されていた。
【先行技術文献】
【特許文献】
【０００５】
【特許文献１】特開２００７−１３２７７１号公報
【発明の概要】
【発明が解決しようとする課題】
【０００６】
しかしながら、中枠部材はケース部材及びモジュール部材との密着性を高めるために樹脂等により形成されるところ、例えばケース部材が金属等の硬い材料で形成されている場合には、ケース部材内に中枠部材を圧入すると、中枠部材の外側面がケース部材の内側面との摩擦によって削られ、削り屑が発生することがある。
特に、ケース部材の開口部に蓋部材を螺着することにより被覆する構成となっている場合、ケース部材内に中枠部材を圧入する際、ケース部材の開口部の内側に形成されたねじ切り部に中枠部材が接触して削られるおそれが大きい。
【０００７】
中枠部材から削り屑が生じた場合、例えば腕時計であれば、表面のガラスと液晶パネルとの間の隙間や、内部の電子部品等の上に削り屑が落ちてしまう場合があり、不具合を生じさせる原因ともなる。
【０００８】
この点、中枠部材の径をケース部材の内周の径よりも小さく形成すれば、中枠部材がケース部材と接触して削られることを防止することはできるが、モジュール部材を保持したまま中枠部材がケース部材内で移動したりがたついたりしてしまうため、別途スペーサ等の部材を設けて中枠部材を固定する必要を生じ、部品点数が増加するとともに組立工数も多くなり、コスト高になるとの問題がある。
【０００９】
そこで、本発明は、以上のような事情に鑑みてなされたものであり、ケース部材との接触による削れ等を防止するとともに、簡易な構成でモジュール部材をケース部材の中に固定することのできる中枠部材及びケースユニットを提供することを目的としている。
【課題を解決するための手段】
【００１０】
このような問題を解決するため、請求項１に記載の発明は、
内部に部品を保持するモジュール部材と、
開口部を備え、前記モジュール部材を収容するケース部材と、
このケース部材の内周面に沿う側壁部を有し、前記ケース部材と前記モジュール部材との間に介在配置されて、前記モジュール部材を前記ケース部材内に位置決めするとともに固定する中枠部材と、を備え、
前記中枠部材は、その外径が前記ケース部材の内周の径よりも小さく形成されているとともに、前記側壁部の少なくとも一部が、前記モジュール部材を前記開口部の側から圧入した際に前記モジュール部材により押し拡げられることにより外側に拡開して外側の面で前記ケース部材の内周面に密着する拡開部となっていることを特徴とするケースユニットである。
【００１１】
請求項２に記載の発明は、請求項１に記載のケースユニットにおいて、
前記側壁部は、前記ケース部材の厚み方向に切り欠かれた複数の切り欠き部を有し、この切り欠き部に挟まれた領域の全部又は一部が前記拡開部となることを特徴としている。
【００１２】
請求項３に記載の発明は、請求項１又は請求項２に記載のケースユニットにおいて、
前記拡開部の内側の面には、前記モジュール部材を前記中枠部材内に圧入した際に前記モジュール部材の外側面に当接して前記拡開部を押し拡げることにより外側に拡開させるための中枠側凸部が設けられていることを特徴としている。
【００１３】
請求項４に記載の発明は、請求項１から請求項３のいずれか一項に記載のケースユニットにおいて、
前記モジュール部材の外周面には、前記モジュール部材を前記中枠部材内に圧入した際に前記中枠部材の前記側壁部の内側面に当接して前記拡開部を押し拡げることにより外側に拡開させるためのモジュール側凸部が設けられていることを特徴としている。
【００１４】
請求項５に記載の発明は、請求項１から請求項３のいずれか一項に記載のケースユニットにおいて、
前記ケース部材の前記開口部には、この開口部を被覆する被覆部材を螺合固定するためのねじ切り部が設けられていることを特徴としている。
【００１５】
請求項６に記載の発明は、請求項１から請求項５のいずれか一項に記載のケースユニットにおいて、
前記側壁部の外側面であって前記中枠部材を前記ケース部材内に収納した際に奥側となる側の角部に、面取り加工が施されていることを特徴としている。
【００１６】
請求項７に記載の発明は、
内部に部品を保持するモジュール部材とこのモジュール部材を収容するケース部材との間に介在配置されて、前記モジュール部材を前記ケース部材の開口部の側から圧入することにより前記モジュール部材を前記ケース部材内に位置決めするとともに固定する中枠部材であって、
その外径が前記ケース部材の内周の径よりも小さく形成されているとともに、前記ケース部材内に収納された際に前記ケース部材の内周面に沿う側壁部を有し、
前記側壁部には、前記ケース部材の厚み方向に切り欠かれた複数の切り欠き部が形成され、
前記側壁部のうち前記切り欠き部に挟まれた領域の全部又は一部は、前記モジュール部材を前記開口部の側から圧入した際に前記モジュール部材により押し拡げられることにより外側に拡開して外側の面で前記ケース部材の内周面に密着する拡開部となっており、
この拡開部の内側の面には、前記モジュール部材を前記開口部の側から圧入した際に前記モジュール部材の外側面に当接して前記拡開部を押し拡げるための中枠側凸部が設けられていることを特徴としている。
【発明の効果】
【００１７】
中枠部材の外径がケース部材の内周の径よりも小さく形成されているため、中枠部材をケース部材内に収納する際に中枠部材がケース部材の内面に当たって削られることがない。
そして、モジュール部材を中枠部材内に圧入すると、中枠部材の側壁部の少なくとも一部がモジュール部材により押し拡げられることにより外側に拡開してケース部材の内周面に密着するため、モジュール部材圧入後は、モジュール部材及び中枠部材がケース部材の中でがたつかず、確実に位置決め固定されるとの効果を奏する。
【図面の簡単な説明】
【００１８】
【図１】本発明に係るケースユニットを適用した腕時計の概略構成を示す正面図である。
【図２】図１に示すケース部材を裏面側から見た斜視図である。
【図３】図１に示すモジュール部材の斜視図である。
【図４】図１に示す中枠部材を裏面側から見た平面図である。
【図５】図４に示す中枠部材の斜視図である。
【図６】図１に示すケース部材内に中枠部材が収納された状態を模式的に示す側断面図である。
【図７】図６に示す中枠部材内にモジュール部材が圧入された状態を模式的に示す側断面図である。
【図８】モジュール部材の一変形例を示す斜視図である。
【図９】ケースユニットの一変形例を示す側断面図である。
【図１０】中枠部材の一変形例を示す斜視図である。
【図１１】ケース部材内に一変形例である中枠部材が収納された状態を模式的に示す側断面図である。
【図１２】図１１に示す中枠部材内にモジュール部材が圧入された状態を模式的に示す側断面図である。
【発明を実施するための形態】
【００１９】
以下、図面を参照しつつ、本発明に係る中枠部材及びこれを適用したケースユニットの好適な実施形態について具体的に説明する。なお、以下の実施形態においては、中枠部材及びケースユニットを腕時計に適用する場合について説明するが、本発明の範囲はこれに限定されない。
【００２０】
図１は、本実施形態における腕時計を示す正面図である。
図１に示すように、腕時計１００には、ケース部材としての本体ケース１が設けられている。
本体ケース１を形成する材料は特に限定されないが、例えばステンレスやチタン等の金属等、比較的硬質な材料で形成されている。
【００２１】
図２は、本体ケース１を裏面側（視認側と反対の側）から見た斜視図である。
本体ケース１は、図２に示すように、短柱形状に形成されており、その内側は上下が開口した中空状になっている。この中空部分が各種部品を収納する収納空間を与える収納部となる。
【００２２】
図２に示すように、本体ケース１の視認側（すなわち、表面側：図２における下側）には、視認側の開口部１１ａを閉塞するようにガラス等の透明材料で形成された被覆部材である時計ガラス部材３が装着されている。なお、開口部１１ａを被覆する被覆部材はガラスで形成されているものに限定されない。
【００２３】
また、本体ケース１の視認側とは反対側（裏面側：図２における上側）には、当該本体ケース１の裏面側の開口部１１ｂを閉塞する閉塞部材としての裏蓋部材（図示せず）が螺合されるようになっている。
すなわち、裏蓋部材の螺着部分の外周面には雄ねじが形成されており、本体ケース１の開口部１１ｂの内周面には、この雄ねじを受ける雌ねじであるねじ切り部１１１が形成されている。裏蓋部材は、雄ねじの形成されている螺着部分を開口部１１ｂのねじ切り部１１１にねじ込み、螺着させることにより本体ケース１に取り付けられるようになっている。
【００２４】
また、本体ケース１の図１における上下両端部には、図示しない時計バンドが取り付けられるバンド取付部１２が形成されている。
さらに、本体ケース１の外周部には、時刻合わせの指示などの種々の操作指示が入力される複数の操作ボタン１３が左右２つずつ設けられている。本体ケース１の側面であって操作ボタン１３に対応する位置にはそれぞれ貫通穴１４が設けられており、操作ボタン１３の一端側はこの貫通穴１４を通して本体ケースの内側に突出している。
【００２５】
また、この本体ケース１の内部には、内部に各種の部品（図示せず）を保持するモジュール部材４が中枠部材５に保持された状態で収納されている。
本実施形態では、ケース部材である本体ケース１と、中枠部材５と、モジュール部材４とにより、ケースユニット１０（図６参照）が構成されている。
【００２６】
図３は、本実施形態におけるモジュール部材４を視認側（表面側）から見た斜視図である。
モジュール部材４は、例えば樹脂等によりほぼ円盤状に形成されており、その外径が中枠部材５の開口部５２（図５参照）の内周の径とほぼ同じとなっている。モジュール部材４の内部には、各種電子部品を搭載する回路基板等の部品（図示せず）が収容されており、その視認側（表面側）の表面には表示部を構成する液晶パネル４１が配置されている。なお、液晶パネル４１の構成、形状等は特に限定されない。
【００２７】
図４は、本実施形態における中枠部材５を裏面側から見た平面図であり、図５は、中枠部材５を裏面側から見た斜視図である。
中枠部材５は、本体ケース１とモジュール部材４との間に介在配置されて、モジュール部材４を本体ケース１内に位置決めするとともに、モジュール部材４が本体ケース１内で移動やがたつき等を生じないように固定するものである。
【００２８】
中枠部材５は、例えば樹脂等の多少弾性のある材料で形成されている。なお、その材料は特に限定されない。
また、中枠部材５は、その外径が本体ケース１の内周の径よりも小さくなるように形成されている。これにより、中枠部材５を本体ケース１内に収納した際、中枠部材５の外側面が本体ケース１の内周面と接触せず、摩擦により削られること等を防止することができる。
【００２９】
図４及び図５に示すように、中枠部材５は、本体ケース１に収納した際に収納方向奥側となる側に底部５１を有し、他端側は開口部５２となっている。
底部５１には、モジュール部材４の表面に配置されている液晶パネル４１の形状に沿って窓部５３が設けられており、モジュール部材４を中枠部材５に収納した際、この窓部５３から液晶パネル４１が露出するようになっている。
【００３０】
また、中枠部材５は、底部５１の周縁に沿ってほぼ垂直に立設された側壁部５４を備えている。
側壁部５４は、中枠部材５を本体ケース１に収納した際に本体ケース１の内周面に沿う形状となっている。また、側壁部５４の高さは、モジュール部材４が中枠部材５に保持された際に、モジュール部材４と側壁部５４の上端とがほぼ面一となる寸法となっている。
【００３１】
本実施形態では、側壁部５４には、本体ケース１に組み込んだ際に本体ケース１の内側に突出している４つの操作ボタン１３に対応する位置に、中枠部材５の開口部５２から底部５１にかけて中枠部材５の厚み方向（すなわち、中枠部材５を本体ケース１に組み込んだ際の本体ケース１の厚み方向）に切り欠かれた切り欠き部５５がそれぞれ形成されている。
切り欠き部５５の幅は、操作ボタン１３が挿通可能なものであればよく、特に限定されない。また、切り欠き部５５は、中枠部材５の底部５１まで達するものであってもよいし、中枠部材５の厚み方向の途中まで切り欠かれているものでもよい。
【００３２】
本実施形態において、側壁部５４のうち切り欠き部５５以外の部分（すなわち、切り欠き部５５に挟まれた領域）は、モジュール部材４を中枠部材５に圧入した際に押し拡げられて外側に拡開しその外側の面で本体ケース１の内周面に密着するようになっており、拡開部として機能する。
【００３３】
なお、本実施形態では、側壁部５４のうち切り欠き部５５以外の部分（すなわち、切り欠き部５５に挟まれた領域）がモジュール部材４によって押し拡げられ、拡開部として機能する場合を例として説明したが、側壁部５４のうち切り欠き部５５に挟まれた領域の全部が拡開部として機能しなくてもよく、一部のみが拡開部として機能してもよい。
側壁部５４の少なくとも一部が拡開部として機能すればよく、拡開部として機能する部分の位置や範囲はここに例示したものに限定されない。
【００３４】
拡開部として機能する側壁部５４の内側の面には、モジュール部材４を中枠部材５内に圧入した際にモジュール部材４の外側面に当接して拡開部を押し拡げて外側に拡開させるための中枠側凸部５６が複数設けられている。
本実施形態では、図４及び図５に示すように、各切り欠き部５５に隣接して左右３つずつ、計６つの中枠側凸部５６ａ，５６ｂ，５６ｃ，５６ｄ，５６ｅ，５６ｆが配置されている。なお、図５には、図面上中枠側凸部５６が４つしか表されていないが、中枠側凸部５６ａ，５６ｂ，５６ｃとほぼ対向する位置に、それぞれ中枠側凸部５６ｄ，５６ｅ，５６ｆが設けられている。
なお、中枠側凸部５６を設ける位置や数等は特に限定されないが、側壁部５４の拡開部を確実に押し拡げて拡開させ本体ケース１に密着させるためには、２つ（例えば、図４に示す中枠側凸部５６ａ，５６ｆ）以上設けられることが好ましく、より好ましくは、底部５１の中心に対してほぼ対称位置に４つ（例えば、図４に示す中枠側凸部５６ａ，５６ｃ，５６ｄ，５６ｆ）以上設けられることが好ましい。
【００３５】
図５に示すように、各中枠側凸部５６は、底部５１から側壁部５４の上端に向けて徐々に中枠部材５の内側に張り出すように設けられている。中枠側凸部５６の上端部は、側壁部５４の上端よりも下に位置し、中枠側凸部５６の上端面は、中枠側凸部５６の内側に向かって低くなるように傾斜する傾斜面５６１となっている。これにより、中枠部材５の開口部５２側からモジュール部材４を圧入した際にモジュール部材４が中枠側凸部５６に引っ掛かって止まることなく挿入できるようになっている。
【００３６】
図６は、中枠部材５を本体ケース１に収納して開口部１１ｂからモジュール部材４を圧入する様子を模式的に示した断面図である。
図６に示すように、中枠部材５にモジュール部材４を圧入する前の状態では、モジュール部材４の外径をＬ１とし、中枠側凸部５６が最も内側に張り出している部分の径をＬ２とすると、Ｌ１＞Ｌ２となっている。そして、中枠部材５の開口部５２の径は、モジュール部材４の外径Ｌ１とほぼ等しいため、モジュール部材４を中枠部材５の開口部５２から圧入すると、モジュール部材４の視認側（図６において下側）の角部が中枠側凸部５６の上端に当接するが、モジュール部材４は、傾斜面５６１に沿って中枠部材５の中に押し込まれ、中枠部材５の側壁部５４（拡開部）を押し拡げながら中枠部材５の底部５１に接する位置まで圧入される（図７参照）。これにより、中枠部材５は、側壁部５４の拡開部の外側の面で本体ケース１の内側の面に面接触し、密着固定される。
【００３７】
側壁部５４の一部であって、中枠部材５を本体ケース１に組み込んだ際に腕時計１００の上側（図１において上側）となる位置には、モジュール部材４を係止する係止用爪部が設けられている。モジュール部材４が中枠部材５内に圧入されると、モジュール部材４が中枠部材５から外れないように、この係止用爪部５７がモジュール部材４を裏面側から係止するようになっている。なお、係止用爪部５７の形状や、設けられる位置、数等はここに例示したものに限定されない。また、モジュール部材４を裏面側にこの係止用爪部５７を受ける係止用溝部等を設けてもよい。
【００３８】
次に、本実施形態における作用について説明する。
【００３９】
本実施形態においては、まず、係止用爪部５７が腕時計１００の上側（図１における上側）となるように位置を合わせて中枠部材５を本体ケース１内に収納する。このとき、中枠部材５の外径は、本体ケース１の内周の径よりも小さいため、中枠部材５は本体ケース１の内周面と接触しない状態で配置される（図６参照）。
次に、液晶パネル４１の向きを本体ケース１の向きと合わせながらモジュール部材４を中枠部材５内に圧入する。このとき、中枠部材５の側壁部５４の中枠側凸部５６の上端にモジュール部材４の奥側の面が突き当たり、モジュール部材４は、傾斜面に５６１に乗り上げながら中枠部材５の中に押し込まれる。そして、中枠側凸部５６がモジュール部材４の外側面に当接し、これにより、側壁部５４のうち外側に拡開可能な部分（拡開部：本実施形態の場合、側壁部５４のうち切り欠き部を除く全ての部分）が押し拡げられて外側に拡開し、本体ケース１の内周面に面で接触し、密着固定される。これにより、中枠部材５及びこれに保持されたモジュール部材４が本体ケース１の中に位置決め固定され、がたつき等が抑えられる。
モジュール部材４の視認側の面が中枠部材５の底部５１に接触するまで圧入されると、係止用爪部５７がモジュール部材４の裏面側の面に係止されて、モジュール部材４が中枠部材５から抜け落ちることを防止する。
その後、本体ケース１の裏面側の開口部１１ｂに裏蓋部材をねじ込み螺合固定させる。
【００４０】
以上のように、本実施形態によれば、中枠部材５の外径が本体ケース１の内周の径よりも小さく形成されているため、中枠部材５を本体ケース１の内部に収納する際に中枠部材５が本体ケース１の内面に当たって削られて削り屑が出ることがない。このため、本体ケース１内や、液晶パネル４１、各種の電子部品等に削り屑が付着して不具合を生じさせるおそれがない。
そして、モジュール部材４を中枠部材５内に圧入すると、中枠部材５の側壁部５４のうち切り欠き部５５の設けられていない部分（拡開部）がモジュール部材４により押し拡げられることにより外側に拡開して本体ケース１の内周面に密着する。このため、モジュール部材４を圧入した後は、モジュール部材４及び中枠部材５が本体ケース１の中でがたつかず、確実に位置決め固定される。
【００４１】
また、側壁部５４に、複数の切り欠き部５５が設けられているため、モジュール部材４を圧入した際に、側壁部５４が外側に拡開しやすく、しっかりと本体ケース１の内周面に密着させることができる。
【００４２】
また、拡開部として機能する側壁部５４の内側の面に中枠側凸部が設けられているため、モジュール部材４を中枠部材５内に圧入した際に、この中枠側凸部がモジュール部材４の外側面に当接して拡開部を押し拡げ、より確実に外側に拡開させることができる。
【００４３】
また、本実施形態では、裏蓋部材をねじ込み螺合固定する構成としているため、本体ケース１の内部に水滴等が入るのを防止することができる。そして、このような構成の場合、本体ケース１の裏面側の開口部１１ｂに、裏蓋部材を螺合固定するためのねじ切り部１１１が設けられるが、本実施形態では、中枠部材５の外径が本体ケース１の内周の径よりも小さく形成されているため、中枠部材５を本体ケース１の内部に収納する際に中枠部材５が本体ケース１のねじ切り部１１１に接触して削られることもない。
【００４４】
なお、本発明が上記各本実施形態に限らず適宜変更可能であるのは勿論である。
【００４５】
例えば、本実施形態では中枠部材５の側壁部５４の内側の面に中枠側凸部５６を設けたが、例えば、図８に示すように、モジュール部材４の外周面に、モジュール部材４を中枠部材５内に圧入した際に中枠部材５の側壁部５４の内側面に当接して拡開部を押し拡げることにより外側に拡開させるためのモジュール側凸部４６を設けてもよい。
この場合、モジュール側凸部４６は、中枠部材５の拡開部に対応する位置に設けられることが好ましい。なお、図８に示したモジュール側凸部４６は一例であり、モジュール側凸部の形状や、設ける位置、数等は図示例に限定されない。
また、モジュール部材４側にモジュール側凸部４６を設けるとともに、中枠部材５側にも中枠側凸部５６を設けてもよい。この場合には、モジュール側凸部４６と中枠側凸部５６とが互いにぶつかり合わないように、位置をずらして配置する。
このようにモジュール部材４側にモジュール側凸部４６を設けることによっても、モジュール部材４を中枠部材５内に圧入した際に中枠部材５の拡開部を押し拡げて外側に拡開させることができ、中枠部材５を本体ケース１の内周面に密着させ固定させることができる。
【００４６】
また、モジュール部材４を開口部の側から圧入した際に側壁部５４の少なくとも一部をモジュール部材４により押し拡げることにより外側に拡開して外側の面で本体ケース１の内周面に密着させる構成は、中枠側凸部５６又はモジュール側凸部４６を設けるものに限定されない。
例えば、図９に示すように、モジュール部材６を本体ケース１に収納した際に奥側となる側からその裏面側に向かってその径が少しずつ大きくなるように、モジュール部材６の側面が傾斜するように構成し、モジュール部材６を中枠部材７に圧入すると、モジュール部材６の側面の傾斜に沿って中枠部材７の拡開部が押し拡げられるようにしてもよい。なお、この場合、さらに、中枠部材７に中枠側凸部を設けてもよいし、モジュール部材６にモジュール側凸部を設けてもよい。
【００４７】
また、中枠側凸部５６の形状は、上記実施形態で示したものに限定されない。例えば、図１０に示すように、中枠側凸部６０として、ほぼ半球形状の突起を側壁部５４に設けてもよい。このように、中枠側凸部６０を半球形状の突起とした場合であっても、中枠部材５の拡開部が押し拡げて外側に拡開させることができる。
【００４８】
また、図１１及び図１２に示すように、中枠部材５の側壁部の外側面であって中枠部材５を本体ケース１の内部に収納した際に奥側となる側の角部に、面取り加工を施して、面取り部７０を設けてもよい。
このように面取り加工を施すことにより、中枠部材５を本体ケース１の内部に収納する際に中枠部材５の奥側の面が本体ケース１の内周面と接触することをより確実に防止することができる。これにより、中枠部材５から削り屑等が生じることを防止して、腕時計１００等に不具合が生じるのを防ぐことができる。
また、面取り加工を施した場合には、モジュール部材４を圧入した際に、側壁部５４が面取り部７０の部分から外側に倒れやすくなり、拡開部をより確実に拡開させ、本体ケースの内周面に密着させることができる。
【００４９】
また、本実施形態では、裏蓋部材が本体ケース１に螺着される構成を例としてせつめいしたが、裏蓋部材の構成はこれに限定されない。例えば、裏蓋部材が本体ケース１に対してねじ止めされる構成としてもよい。
【００５０】
また、腕時計１００は、アナログ方式、デジタル方式のいずれであってもよい。また、腕時計１００の形状は、特に限定されず、円形の他、例えば四角形、楕円形等でもよい。
【００５１】
また、上記実施形態では、中枠部材５及びケースユニット１０が腕時計１００に適用される場合を例として示したが、中枠部材５及びケースユニット１０を適用可能な機器は腕時計１００に限られない。例えば、携帯電話やＰＤＡ等の各種携帯端末装置、携帯型の音楽再生装置、小型ラジオ等に本発明を適用してもよい。
【００５２】
なお、その他、本発明が上記各実施形態に限らず適宜変更可能であるのは勿論である。
【符号の説明】
【００５３】
１      本体ケース
４      モジュール部材
５      中枠部材
１０    ケースユニット
５１    底部
５２    開口部
５４    側壁部
５５    切り欠き部
５６    中枠側凸部
７０    面取り部
１００  腕時計
１１１  ねじ切り部
５６１  傾斜面
【図１】
2011112619.tif 000003
【図２】
2011112619.tif 000004
【図３】
2011112619.tif 000005
【図４】
2011112619.tif 000006
【図５】
2011112619.tif 000007
【図６】
2011112619.tif 000008
【図７】
2011112619.tif 000009
【図８】
2011112619.tif 000010
【図９】
2011112619.tif 000011
【図１０】
2011112619.tif 000012
【図１１】
2011112619.tif 000013
【図１２】
2011112619.tif 000014